(57)【要約】【課題】音データ及び画像データを出力する際の操作性を向上させる。【解決手段】ＣＤが出力装置１００に装填され、かつ、メモリカードが出力装置１００に装填された場合に、ＣＤから読み取られた音データを音声出力するとともに、メモリカードから読み取られた画像データを画像表示する。音データ及び画像データの同時再生中にＣＤが出力装置１００から取り出された場合には、画像データの再生を一時停止する。そして、別のＣＤが出力装置１００に装填された場合に、音データを音声出力するとともに、一時停止されていたところから画像データを画像表示する。【選択図】図１
2005223590.tif 000002
【特許請求の範囲】
【請求項１】
第１の記録媒体に記録された音データを出力する音出力手段と、第２の記録媒体に記録された画像データを出力する画像出力手段と、を備えた出力装置において、
前記第１の記録媒体が前記出力装置に装填され、かつ、前記第２の記録媒体が前記出力装置に装填された場合に、前記第１の記録媒体に記録された音データを出力するよう前記音出力手段を制御するとともに、前記第２の記録媒体に記録された画像データを出力するよう前記画像出力手段を制御する制御手段を備えたことを特徴とする出力装置。
【請求項２】
請求項１に記載の出力装置において、
前記音出力手段は、前記第１の記録媒体に記録された音データに基づいて音声出力する音再生出力手段であって、
前記画像出力手段は、前記第２の記録媒体に記録された画像データに基づいて画像表示する画像再生出力手段であることを特徴とする出力装置。
【請求項３】
請求項２に記載の出力装置において、
前記第１の記録媒体に記録された音データの音声出力及び前記第２の記録媒体に記録された画像データの画像表示が行われている場合に、音声出力中の第１の記録媒体が前記出力装置から取り出されたとき、前記制御手段は、前記第２の記録媒体に記録された画像データの画像表示を一時停止するよう前記画像出力手段を制御し、
その後、前記音声出力中の第１の記録媒体とは異なる他の第１の記録媒体が前記音声出力中の第１の記録媒体に代えて前記出力装置に装填された場合に、前記制御手段は、前記他の第１の記録媒体に記録された音データを音声出力するよう前記音出力手段を制御するとともに、前記第２の記録媒体に記録された画像データを前記一時停止されたところから画像表示するよう前記画像出力手段を制御することを特徴とする出力装置。
【請求項４】
請求項１に記載の出力装置において、
前記音出力手段は、前記第１の記録媒体に記録された音データを第３の記録媒体に記録する音記録出力手段であって、
前記画像出力手段は、前記第２の記録媒体に記録された画像データを前記第３の記録媒体に記録する画像記録出力手段であることを特徴とする出力装置。
【請求項５】
コンピュータに、
第１の記録媒体に記録された音データを出力する音出力機能と、
第２の記録媒体に記録された画像データを出力する画像出力機能と、
前記第１の記録媒体が装填されているか否かを検出する機能と、
前記第２の記録媒体が装填されているか否かを検出する機能と、
前記第１の記録媒体が装填されたことを検出し、かつ、前記第２の記録媒体が装填されたことを検出した場合に、前記第１の記録媒体に記録された音データを出力させるとともに、前記第２の記録媒体に記録された画像データを出力させる機能と、
を実現させるためのプログラム。
【請求項６】
請求項５に記載のプログラムにおいて、
前記音出力機能は、前記第１の記録媒体に記録された音データに基づいて音声出力する音再生出力機能であって、
前記画像出力機能は、前記第２の記録媒体に記録された画像データに基づいて画像表示する画像再生出力機能であることを特徴とするプログラム。
【請求項７】
請求項６に記載のプログラムにおいて、
前記コンピュータに、
前記第１の記録媒体に記録された音データの音声出力及び前記第２の記録媒体に記録された画像データの画像表示が行われている場合に、音声出力中の第１の記録媒体が取り出されたことを検出したとき、前記第２の記録媒体に記録された画像データの画像表示を一時停止させ、その後、前記音声出力中の第１の記録媒体とは異なる他の第１の記録媒体が前記音声出力中の第１の記録媒体に代えて装填されたことを検出した場合に、前記他の第１の記録媒体に記録された音データを音声出力させるとともに、前記第２の記録媒体に記録された画像データを前記一時停止されたところから画像表示させる機能を実現させるためのプログラム。
【請求項８】
請求項５に記載のプログラムにおいて、
前記音出力機能は、前記第１の記録媒体に記録された音データを第３の記録媒体に記録する音記録出力機能であって、
前記画像出力機能は、前記第２の記録媒体に記録された画像データを前記第３の記録媒体に記録する画像記録出力機能であることを特徴とするプログラム。
【発明の詳細な説明】
【技術分野】
【０００１】
本発明は、記録媒体に記録された音データ及び画像データを出力する出力装置及びプログラムに関する。
【背景技術】
【０００２】
近年、デジタルカメラの普及に伴い、デジタルカメラで撮影した画像データを取り扱う機会が増えてきている。画像データを再生する際に、画像に適した音楽とともに鑑賞したいという要望があるため、音楽データと画像データが記録された光ディスクからこれらのデータを読み出し、画像データを表示装置に表示させ、音楽データをＢＧＭとして出力させる画像再生システムが提案されている（例えば、特許文献１参照。）。
【特許文献１】特開平６−３１１４８１号公報
【発明の開示】
【発明が解決しようとする課題】
【０００３】
しかし、音楽や音声等の音データと、画像データとが異なる記録媒体にそれぞれ記録されている場合には、音データを音データ用の再生装置を用いて再生し、画像データを画像データ用の再生装置を用いて再生しなければならなかった。そのため、音データ用の再生装置と画像データ用の再生装置に対して個別の操作が必要となり、操作性が悪く、不便であった。
【０００４】
また、音データが記録されたＣＤ（Compact Disc）等の記録媒体から音データを読み出して別の記録媒体に記録したり、画像データが記録されているメモリカード等の記録媒体から画像データを読み出して別の記録媒体に記録したりすることも行われているが、音データと画像データを同一の記録媒体に記録する場合にも音データを記録するための操作と画像データを記録するための操作を個別に行う必要があった。
【０００５】
本発明の課題は、音データ及び画像データを出力する際の操作性を向上させる出力装置及びプログラムを提供することである。
【課題を解決するための手段】
【０００６】
請求項１に記載の発明は、第１の記録媒体に記録された音データを出力する音出力手段と、第２の記録媒体に記録された画像データを出力する画像出力手段と、を備えた出力装置において、前記第１の記録媒体が前記出力装置に装填され、かつ、前記第２の記録媒体が前記出力装置に装填された場合に、前記第１の記録媒体に記録された音データを出力するよう前記音出力手段を制御するとともに、前記第２の記録媒体に記録された画像データを出力するよう前記画像出力手段を制御する制御手段を備えたことを特徴とする。
【０００７】
請求項２に記載の発明は、請求項１に記載の出力装置において、前記音出力手段は、前記第１の記録媒体に記録された音データに基づいて音声出力する音再生出力手段であって、前記画像出力手段は、前記第２の記録媒体に記録された画像データに基づいて画像表示する画像再生出力手段であることを特徴とする。
【０００８】
請求項３に記載の発明は、請求項２に記載の出力装置において、前記第１の記録媒体に記録された音データの音声出力及び前記第２の記録媒体に記録された画像データの画像表示が行われている場合に、音声出力中の第１の記録媒体が前記出力装置から取り出されたとき、前記制御手段は、前記第２の記録媒体に記録された画像データの画像表示を一時停止するよう前記画像出力手段を制御し、その後、前記音声出力中の第１の記録媒体とは異なる他の第１の記録媒体が前記音声出力中の第１の記録媒体に代えて前記出力装置に装填された場合に、前記制御手段は、前記他の第１の記録媒体に記録された音データを音声出力するよう前記音出力手段を制御するとともに、前記第２の記録媒体に記録された画像データを前記一時停止されたところから画像表示するよう前記画像出力手段を制御することを特徴とする。
【０００９】
請求項４に記載の発明は、請求項１に記載の出力装置において、前記音出力手段は、前記第１の記録媒体に記録された音データを第３の記録媒体に記録する音記録出力手段であって、前記画像出力手段は、前記第２の記録媒体に記録された画像データを前記第３の記録媒体に記録する画像記録出力手段であることを特徴とする。
【００１０】
請求項５に記載の発明は、コンピュータに、第１の記録媒体に記録された音データを出力する音出力機能と、第２の記録媒体に記録された画像データを出力する画像出力機能と、前記第１の記録媒体が装填されているか否かを検出する機能と、前記第２の記録媒体が装填されているか否かを検出する機能と、前記第１の記録媒体が装填されたことを検出し、かつ、前記第２の記録媒体が装填されたことを検出した場合に、前記第１の記録媒体に記録された音データを出力させるとともに、前記第２の記録媒体に記録された画像データを出力させる機能と、を実現させるためのプログラムである。
【００１１】
ここで、コンピュータとは、バスで接続されたＣＰＵ（Central Processing Unit）、ＲＯＭ（Read Only Memory）、ＲＡＭ（Random Access Memory）及びＩ／Ｏを基本構成とする装置であって、マイクロコンピュータ、マイクロプロセッサ等を含み、その組み込み先装置の如何（例えば、パソコン、ＤＶＤ（Digital Versatile Disk）レコーダ、ＨＤＤ（Hard Disk Drive）レコーダ、ホームサーバー、ゲーム機、ポータブルＣＤ−Ｒ（Compact Disc-Recordable）ライター、ＨＤＤナビゲーションシステム等）を問わない。したがって、本発明に係るプログラムは、上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１２】
請求項６に記載の発明は、請求項５に記載のプログラムにおいて、前記音出力機能は、前記第１の記録媒体に記録された音データに基づいて音声出力する音再生出力機能であって、前記画像出力機能は、前記第２の記録媒体に記録された画像データに基づいて画像表示する画像再生出力機能であることを特徴とする。
【００１３】
請求項７に記載の発明は、請求項６に記載のプログラムにおいて、前記コンピュータに、前記第１の記録媒体に記録された音データの音声出力及び前記第２の記録媒体に記録された画像データの画像表示が行われている場合に、音声出力中の第１の記録媒体が取り出されたことを検出したとき、前記第２の記録媒体に記録された画像データの画像表示を一時停止させ、その後、前記音声出力中の第１の記録媒体とは異なる他の第１の記録媒体が前記音声出力中の第１の記録媒体に代えて装填されたことを検出した場合に、前記他の第１の記録媒体に記録された音データを音声出力させるとともに、前記第２の記録媒体に記録された画像データを前記一時停止されたところから画像表示させる機能を実現させるためのプログラムである。
【００１４】
請求項８に記載の発明は、請求項５に記載のプログラムにおいて、前記音出力機能は、前記第１の記録媒体に記録された音データを第３の記録媒体に記録する音記録出力機能であって、前記画像出力機能は、前記第２の記録媒体に記録された画像データを前記第３の記録媒体に記録する画像記録出力機能であることを特徴とする。
【発明の効果】
【００１５】
請求項１に記載の発明によれば、第１の記録媒体が出力装置に装填され、かつ、第２の記録媒体が出力装置に装填された場合に、第１の記録媒体に記録された音データを出力するよう音出力手段を制御するとともに、第２の記録媒体に記録された画像データを出力するよう画像出力手段を制御するので、音出力手段と画像出力手段に対して個別に操作を行う必要がなく、音データ及び画像データを出力する際の操作性を向上させることができる。
【００１６】
請求項２に記載の発明によれば、音出力手段は、第１の記録媒体に記録された音データに基づいて音声出力する音再生出力手段であって、画像出力手段は、第２の記録媒体に記録された画像データに基づいて画像表示する画像再生出力手段であるので、音データの音声出力及び画像データの画像表示を行う際の操作性を向上させることができる。
【００１７】
請求項３に記載の発明によれば、第１の記録媒体に記録された音データの音声出力及び第２の記録媒体に記録された画像データの画像表示が行われている場合に、音声出力中の第１の記録媒体が出力装置から取り出されたとき、第２の記録媒体に記録された画像データの画像表示を一時停止することができる。その後、音声出力中の第１の記録媒体とは異なる他の第１の記録媒体が出力装置に装填された場合に、他の第１の記録媒体に記録された音データを音声出力するとともに、第２の記録媒体に記録された画像データを一時停止されたところから画像表示することができる。
【００１８】
請求項４に記載の発明によれば、音出力手段は、第１の記録媒体に記録された音データを第３の記録媒体に記録する音記録出力手段であって、画像出力手段は、第２の記録媒体に記録された画像データを第３の記録媒体に記録する画像記録出力手段であるので、音データ及び画像データを記録出力する際の操作性を向上させることができる。
【００１９】
請求項５に記載の発明によれば、第１の記録媒体が装填されたことを検出し、かつ、第２の記録媒体が装填されたことを検出した場合に、第１の記録媒体に記録された音データを出力させるとともに、第２の記録媒体に記録された画像データを出力させるので、音データと画像データに対して個別に操作を行う必要がなく、音データ及び画像データを出力する際の操作性を向上させることができる。
【００２０】
請求項６に記載の発明によれば、音出力機能は、第１の記録媒体に記録された音データに基づいて音声出力する音再生出力機能であって、画像出力機能は、第２の記録媒体に記録された画像データに基づいて画像表示する画像再生出力機能であるので、音データの音声出力及び画像データの画像表示を行う際の操作性を向上させることができる。
【００２１】
請求項７に記載の発明によれば、第１の記録媒体に記録された音データの音声出力及び第２の記録媒体に記録された画像データの画像表示が行われている場合に、音声出力中の第１の記録媒体が取り出されたことを検出したとき、第２の記録媒体に記録された画像データの画像表示を一時停止させ、その後、音声出力中の第１の記録媒体とは異なる他の第１の記録媒体が装填されたことを検出した場合に、他の第１の記録媒体に記録された音データを音声出力させるとともに、第２の記録媒体に記録された画像データを一時停止されたところから画像表示させることができる。
【００２２】
請求項８に記載の発明によれば、音出力機能は、第１の記録媒体に記録された音データを第３の記録媒体に記録する音記録出力機能であって、画像出力機能は、第２の記録媒体に記録された画像データを第３の記録媒体に記録する画像記録出力機能であるので、音データ及び画像データを記録出力する際の操作性を向上させることができる。
【発明を実施するための最良の形態】
【００２３】
［第１の実施の形態］
以下、図面を参照して、本発明の第１の実施の形態を説明する。ただし、図示例に限定されるものではない。
図１に、第１の実施の形態における出力装置１００の機能的構成を示す。
図１に示すように、出力装置１００は、制御部１０、操作パネル２０、音処理系３０、アンプ４０、スピーカー５０、画像処理系６０、表示装置７０等を備えて構成され、各部はバス８０により接続されている。ここで、音処理系３０にいう「音」とは、「音楽」及び「音声」を含む意味である。
【００２４】
出力装置１００としては、パーソナルコンピュータ（Personal Computer）、ＤＶＤレコーダ、ＨＤＤレコーダ、ホームサーバー、ゲーム機、ポータブルＣＤ−Ｒライター、ポータブルＨＤＤ、ＨＤＤナビゲーションシステム等が挙げられる。
【００２５】
制御部１０は、出力装置１００の各部を統括的に制御する。図２に示すように、制御部１０は、ＣＰＵ１１、Ｉ／Ｏポート１２，１３，１４、ＲＯＭ１５、ＲＡＭ１６、プログラムメモリ１７、記憶部１８を備える。
【００２６】
ＣＰＵ１１は、操作パネル２０から入力される各種指示に従って、ＲＯＭ１５又はプログラムメモリ１７に記録されている出力装置１００に対応する各種プログラムの中から指定されたプログラムをＲＡＭ１６のワークエリアに展開し、上記プログラムとの協働によって各種処理を実行し、その処理結果をＲＡＭ１６の所定の領域に格納するとともに、操作パネル２０に表示させる。
【００２７】
Ｉ／Ｏポート１２は、ＣＰＵ１１と、操作パネル２０との間のデータの送受信を行う。Ｉ／Ｏポート１３は、ＣＰＵ１１と、音処理系３０との間のデータの送受信を行う。Ｉ／Ｏポート１４は、ＣＰＵ１１と、画像処理系６０との間のデータの送受信を行う。
【００２８】
ＲＯＭ１５は、不揮発性の半導体メモリで構成される。ＲＯＭ１５は、ＣＰＵ１１により実行される出力装置１００用の各種プログラム等を記憶する。
【００２９】
ＲＡＭ１６は、書き換え可能な半導体素子で構成される。ＲＡＭ１６は、データが一時的に保存される記憶媒体であり、ＣＰＵ１１が実行するためのプログラムを展開するためのプログラムエリア、操作パネル２０から入力されるデータやＣＰＵ１１による各種処理結果等を保存するためのデータエリア、等が形成される。
【００３０】
プログラムメモリ１７は、磁気的又は光学的記録媒体、若しくは半導体メモリで構成され、ＣＰＵ１１により実行される出力装置１００用の各種処理プログラムを記憶する。
【００３１】
記憶部１８は、ＨＤＤを備えて構成され、各処理により生成されたデータ等を記憶する。
【００３２】
操作パネル２０は、ＬＣＤ（Liquid Crystal Display）及びＬＣＤの表示画面上を覆うように設けられたタッチパネルを含んだ構成とし、ＣＰＵ１１から入力される表示信号に基づいて画面表示を行うとともに、電磁誘導式、磁気歪式、感圧式等の座標読み取り原理でタッチ指示された座標を検出し、検出した座標を位置信号としてＣＰＵ１１に出力する。また、操作パネル２０とは別に、数字キー、選択キー、各種機能キー等のハードキーを備えることとしてもよい。
【００３３】
音処理系３０は、ピックアップ３１、音データ処理部３２、Ｄ／Ａ変換器３３を備える。ピックアップ３１は、ＣＤに対して照射されたレーザービームの反射光を検出することにより、ＣＤに記録されている音楽データや音声データ等の音データを読み取る。また、ピックアップ３１は、ＣＤが装填されているか否かを検出する。
【００３４】
音データ処理部３２は、ピックアップ３１によりＣＤから読み取られた音データを、それ以降の音データ出力処理に適したデータに変換して出力する。
【００３５】
Ｄ／Ａ変換器３３は、音データ処理部３２から入力される音データを音声出力する（再生する）ために、音データに対してデジタル／アナログ変換を施してアンプ４０に出力する。
【００３６】
アンプ４０は、Ｄ／Ａ変換器３３から入力されるアナログ化された音データを増幅してスピーカー５０に出力する。
【００３７】
スピーカー５０は、アンプ４０により増幅された音データを音声出力する。
【００３８】
画像処理系６０は、カードリーダ６１、画像データ処理部６２を備える。カードリーダ６１は、メモリカードに記録されている画像データを読み取る。メモリカードは、フラッシュメモリを採用したカード型の記録媒体であって、コンパクトフラッシュ（登録商標）、スマートメディア、ＳＤメモリーカード、メモリースティック（登録商標）、マルチメディアカード等が挙げられる。メモリカードには、デジタルスチルカメラ、カメラ付き携帯電話機、デジタルビデオカムコーダ等により撮影された画像データが記録されている。また、カードリーダ６１は、メモリカードが装填されているか否かを検出する。
【００３９】
画像データ処理部６２は、カードリーダ６１によりメモリカードから読み取られた画像データを、それ以降の画像データ出力処理に適したデータに変換して出力する。
【００４０】
表示装置７０は、ＬＣＤやＣＲＴ（Cathode Ray Tube）等により構成され、画像データ処理部６２から入力される画像データに基づいて画像表示を行う（再生する）。表示装置７０は、例えば、画像データに基づいて各画像を所定時間毎に切り替えて表示するスライドショー表示、複数のサムネイル画像を表示する一覧表示、電子アルバムとしてレイアウトされた画像を、ページをめくっていくように表示するページめくり表示等を行う。
【００４１】
次に、出力装置１００における動作を説明する。
図３は、出力装置１００において実行されるデータ再生処理を示すフローチャートである。データ再生処理は、ＣＰＵ１１と、プログラムメモリ１７に格納されているデータ再生プログラムとの協働により実行される。以下、各ステップの処理の主体は、特に言及する場合を除き、ＣＰＵ１１である。
【００４２】
まず、ピックアップ３１により出力装置１００にＣＤが装填されているか否かが検出され、カードリーダ６１により出力装置１００にメモリカードが装填されているか否かが検出される（ステップＳ１）。
【００４３】
出力装置１００にＣＤ及びメモリカードが装填されている場合には（ステップＳ１；ＹＥＳ）、ピックアップ３１によりＣＤ内のデータ形式がチェックされ、対象となる音ファイルが存在するか否かが判断される（ステップＳ２）。ＣＤ内に対象となる音ファイルが認識された場合には（ステップＳ２；音ファイル認識）、メモリカード内のデータ形式がチェックされ、対象となる画像ファイルが存在するか否かが判断される（ステップＳ３）。
【００４４】
メモリカード内に対象となる画像ファイルが認識された場合には（ステップＳ３；画像ファイル認識）、ＣＤから読み取られた音データと、メモリカードから読み取られた画像データと、が同時に再生される（ステップＳ４）。具体的には、ピックアップ３１によりＣＤから読み取られた音データは、音データ処理部３２により変換され、Ｄ／Ａ変換器３３及びアンプ４０を介してスピーカー５０により音声出力される。音データの再生とともに、カードリーダ６１によりメモリカードから読み取られた画像データは、画像データ処理部６２を介して表示装置７０により画像表示される。画像データの表示方法としては、スライドショー表示、一覧表示、ページめくり表示等から選択可能とする。音データ及び画像データの再生は自動的に開始されることとしてもよいし、再生ボタンを押下する等の指示によって開始されることとしてもよい。
【００４５】
ここで、図４を参照して、同時再生処理について詳しく説明する。
ＣＤから読み取られた音データ及びメモリカードから読み取られた画像データの再生中に（ステップＳ４１）、ＣＤが出力装置１００から取り出された場合には（ステップＳ４２；ＹＥＳ）、メモリカードから読み取られた画像データの再生が一時停止される（ステップＳ４３）。
【００４６】
そして、別のＣＤが出力装置１００に装填された場合には（ステップＳ４４；ＹＥＳ）、ピックアップ３１によりＣＤ内のデータ形式がチェックされ、対象となる音ファイルが存在するか否かが判断される（ステップＳ４５）。ＣＤ内に対象となる音ファイルが認識された場合には（ステップＳ４５；音ファイル認識）、ＣＤから読み取られた音データが再生され、また、一時停止されていたところから画像データの再生が再開される（ステップＳ４６）。
【００４７】
ＣＤが出力装置１００から取り出されず（ステップＳ４２；ＮＯ）、音データ及び画像データの再生が終了していない場合には（ステップＳ４７；ＮＯ）、再生が継続される。ＣＤが出力装置１００から取り出されず（ステップＳ４２；ＮＯ）、音データ及び画像データの再生が終了した場合には（ステップＳ４７；ＹＥＳ）、同時再生処理は終了する。
【００４８】
ステップＳ４５においてＣＤ内に対象となる音ファイルが存在しなかった場合（ステップＳ４５；ＮＯ）、対象ファイルがないことが操作パネル２０に表示され（ステップＳ４８）、処理が終了する。
【００４９】
図３のステップＳ２においてＣＤ内に対象となる音ファイルが存在しなかった場合（ステップＳ２；ＮＯ）、又は、ステップＳ３においてメモリカード内に対象となる画像ファイルが存在しなかった場合には（ステップＳ３；ＮＯ）、対象ファイルがないことが操作パネル２０に表示され（ステップＳ５）、処理が終了する。
【００５０】
出力装置１００にＣＤが装填され、かつ、メモリカードが装填されていない場合には（ステップＳ１；ＮＯ，ステップＳ６；ＹＥＳ）、ＣＤから読み取られた音データが再生される（ステップＳ７）。
【００５１】
出力装置１００にＣＤが装填されておらず、かつ、メモリカードが装填されている場合には（ステップＳ１；ＮＯ，ステップＳ６；ＮＯ，ステップＳ８；ＹＥＳ）、メモリカードから読み取られた画像データが再生される（ステップＳ９）。
以上で、データ再生処理が終了する。
【００５２】
第１の実施の形態における出力装置１００によれば、ＣＤが出力装置１００に装填され、かつ、メモリカードが出力装置１００に装填された場合に、ＣＤに記録された音データを音声出力するとともに、メモリカードに記録された画像データを画像表示するので、音処理系３０と画像処理系６０に対して個別に操作を行う必要がなく、音データ及び画像データを再生出力する際の操作性を向上させることができる。
【００５３】
また、音データの音声出力及び画像データの画像表示が行われている場合に、ＣＤが出力装置１００から取り出されたとき、画像データの画像表示を一時停止するので、ＣＤを交換する際に、画像データの画像表示を止めておくことができる。その後、別のＣＤが出力装置１００に装填された場合に、別のＣＤに記録された音データを音声出力するとともに、画像データを一時停止されたところから画像表示することができる。
【００５４】
なお、予め同時再生モード又はマニュアルモードを設定可能とし、同時再生モードが設定されている場合にはＣＤ及びメモリカードを検出すると同時再生を行い、マニュアルモードが設定されている場合にはメモリカード内の画像データ、ＣＤ内の音データをそれぞれ選択して、表示、再生することとしてもよい。
【００５５】
［第２の実施の形態］
次に、本発明を適用した第２の実施の形態について説明する。
図５に示すように、第２の実施の形態における出力装置２００は、制御部１０、操作パネル２０、音処理系３０、画像処理系６０、データ記録装置９０等を備えて構成され、各部はバス８０により接続されている。
【００５６】
出力装置２００の構成部分のうち、第１の実施の形態に示した出力装置１００と同一の構成部分については同一の符号を付し、説明を省略する。以下、第２の実施の形態に特徴的な構成及び処理について説明する。
【００５７】
制御部１０は、出力装置２００の各部を統括的に制御する。図６に示すように、制御部１０は、ＣＰＵ１１、Ｉ／Ｏポート１２，１３，１４，１９、ＲＯＭ１５、ＲＡＭ１６、プログラムメモリ１７、記憶部１８を備える。
【００５８】
出力装置２００の制御部１０は、図２に示した第１の実施の形態における出力装置１００の制御部１０と同様の構成であるため、同一の構成部分については同一の符号を付し、説明を省略する。
【００５９】
Ｉ／Ｏポート１９は、ＣＰＵ１１と、データ記録装置９０との間のデータの送受信を行う。
【００６０】
データ記録装置９０は、ＣＰＵ１１の制御に従って、ＣＤ−Ｒ又はＤＶＤ−Ｒに音データ及び画像データを記録する。音データ（例えば、ＣＤトラック形式、ＷＡＶ形式、ＭＰ３形式）と画像データ（例えば、ＪＰＥＧ等の静止画、ＡＶＩ、ＭＯＶ、ＭＰＥＧ等の動画）を記録する際には、そのまま記録してもよいが、画像と音楽をミックスして、音楽をＢＧＭとして再生している間に静止画をスライドショー表示したり、ＢＧＭと動画自体に記録されている音声とをミックスした形で動画再生したりするＶｉｄｅｏ−ＣＤ形式、ＤＶＤ−Ｖｉｄｅｏ形式、ＨＤＴＶ（High Definition TeleVision）形式の動画フォーマットに変換した後に記録してもよい。また、元々の音データ、画像データとともに、上記変換されたデータの両方を書き込んでもよい。その場合は、上記変換されたデータをディスクの内側に、元々のデータはその外側に書き込むことが望ましい。
【００６１】
ＣＤ−Ｒ又はＤＶＤ−Ｒには、パーソナルコンピュータやＤＶＤプレーヤー、ゲーム機等に画像データを再生させるための画像再生プログラムが予め記録されている。画像再生プログラムには、静止画の画像データを表示したり、動画の画像データを再生したり、これらの画像データを連続して順次表示し、スライドショーとして再生したり、画像データの再生時にＢＧＭとして音データを出力したりする機能が含まれる。また、画像データに色・濃度・彩度補正、画像回転、トリミング等の加工を施す画像加工プログラムや、画像データを編集する画像編集プログラム等が記録されていることとしてもよい。
【００６２】
次に、出力装置２００における動作を説明する。
図７は、第２の実施の形態の出力装置２００において実行されるデータ記録処理を示すフローチャートである。データ記録処理は、ＣＰＵ１１と、プログラムメモリ１７に格納されているデータ記録プログラムとの協働により実行される。以下、各ステップの処理の主体は、特に言及する場合を除き、ＣＰＵ１１である。
【００６３】
まず、ピックアップ３１により出力装置２００にＣＤが装填されているか否かが検出され、カードリーダ６１により出力装置２００にメモリカードが装填されているか否かが検出される（ステップＳ１１）。
【００６４】
出力装置２００にＣＤ及びメモリカードが装填されている場合には（ステップＳ１１；ＹＥＳ）、ピックアップ３１によりＣＤ内のデータ形式がチェックされ、対象となる音ファイルが存在するか否かが判断される（ステップＳ１２）。ＣＤ内に対象となる音ファイルが認識された場合には（ステップＳ１２；音ファイル認識）、メモリカード内のデータ形式がチェックされ、対象となる画像ファイルが存在するか否かが判断される（ステップＳ１３）。
【００６５】
メモリカード内に対象となる画像ファイルが認識された場合には（ステップＳ１３；画像ファイル認識）、データ記録装置９０により、ＣＤから読み取られた音データと、メモリカードから読み取られた画像データと、が同時にＣＤ−Ｒ又はＤＶＤ−Ｒに記録される（ステップＳ１４）。音データ及び画像データの記録は自動的に開始されることとしてもよいし、書き込み開始ボタンを押下する等の指示によって開始されることとしてもよい。
【００６６】
ここで、図８を参照して、同時記録処理について詳しく説明する。
まず、ピックアップ３１によりＣＤから読み取られた音データ及びカードリーダ６１によりメモリカードから読み取られた画像データが記憶部１８にバックアップされる（ステップＳ５１）。
【００６７】
次に、ＣＤ−Ｒ又はＤＶＤ−Ｒがデータ記録装置９０に装填されているか否かがチェックされ（ステップＳ５２）、ＣＤ−Ｒ又はＤＶＤ−Ｒがデータ記録装置９０に装填されていない場合には（ステップＳ５２；ＮＯ）、ＣＤ−Ｒ又はＤＶＤ−Ｒをセットするよう操作パネル２０に表示される（ステップＳ５３）。
【００６８】
ＣＤ−Ｒ又はＤＶＤ−Ｒがデータ記録装置９０に装填されている場合には（ステップＳ５２；ＯＫ）、音データ及び画像データに基づいて記録用データが作成される（ステップＳ５４）。具体的には、音データ処理部３２及び画像データ処理部６２により、音データ及び画像データが、ＤＶＤプレーヤーやゲーム機等のＡＶ（Audio-Visual）機器再生用のファイル形式に変換される。ＡＶ機器再生用のファイル形式として、Ｖｉｄｅｏ−ＣＤ形式、ＤＶＤ−Ｖｉｄｅｏ形式、ＨＤＴＶ形式等がある。また、変換前の音ファイル及び画像ファイルについても、フォルダ名及びファイル名が重複しないようにユニークな名称に変更される。例えば、地域を特定する情報、画像データの撮影日時、ユーザが任意に指定した日時等の日時情報、出力装置２００の固有ＩＤ情報（装置番号等）等を利用して、フォルダ名及びファイル名の名称を変更することとしてもよい。
【００６９】
そして、作成されたＡＶ機器再生用データ、ユニークな名称に変更された音データ及び画像データが、データ記録装置９０によりＣＤ−Ｒ又はＤＶＤ−Ｒに記録され（ステップＳ５５）、同時記録処理は終了する。
【００７０】
図７のステップＳ１２においてＣＤ内に対象となる音ファイルが存在しなかった場合（ステップＳ１２；ＮＯ）、又は、ステップＳ１３においてメモリカード内に対象となる画像ファイルが存在しなかった場合には（ステップＳ１３；ＮＯ）、対象ファイルがないことが操作パネル２０に表示され（ステップＳ１５）、処理が終了する。
【００７１】
出力装置２００にＣＤが装填され、かつ、メモリカードが装填されていない場合には（ステップＳ１１；ＮＯ，ステップＳ１６；ＹＥＳ）、ＣＤから読み取られた音データがＣＤ−Ｒ又はＤＶＤ−Ｒに記録される（ステップＳ１７）。
【００７２】
出力装置２００にＣＤが装填されておらず、かつ、メモリカードが装填されている場合には（ステップＳ１１；ＮＯ，ステップＳ１６；ＮＯ，ステップＳ１８；ＹＥＳ）、メモリカードから読み取られた画像データがＣＤ−Ｒ又はＤＶＤ−Ｒに記録される（ステップＳ１９）。
以上で、データ記録処理が終了する。
【００７３】
第２の実施の形態における出力装置２００によれば、ＣＤが出力装置２００に装填され、かつ、メモリカードが出力装置２００に装填された場合に、ＣＤに記録された音データ及びメモリカードに記録された画像データをＣＤ−Ｒ又はＤＶＤ−Ｒに記録するので、音処理系３０と画像処理系６０に対して個別に操作を行う必要がなく、音データ及び画像データを記録出力する際の操作性を向上させることができる。
【００７４】
なお、予め同時記録モード又はマニュアルモードを設定可能とし、同時記録モードが設定されている場合にはＣＤ及びメモリカードを検出すると同時記録を行い、マニュアルモードが設定されている場合にはメモリカード内の画像データ、ＣＤ内の音データをそれぞれ選択して、記録することとしてもよい。
【００７５】
［第３の実施の形態］
次に、本発明を適用した第３の実施の形態について説明する。
図９に示すように、第３の実施の形態における出力装置３００は、制御部１０、操作パネル２０、音処理系３０、アンプ４０、スピーカー５０、画像処理系６０、表示装置７０、データ記録装置９０等を備えて構成され、各部はバス８０により接続されている。
【００７６】
出力装置３００は、第１の実施の形態に示した出力装置１００又は第２の実施の形態に示した出力装置２００と同様の構成であるため、同一の構成部分については同一の符号を付し、説明を省略する。また、制御部１０については、図６に示した出力装置２００の制御部１０と同様であるため、図示及び説明を省略する。以下、第３の実施の形態に特徴的な処理について説明する。
【００７７】
図１０は、出力装置３００において実行されるデータ再生・記録処理を示すフローチャートである。データ再生・記録処理は、ＣＰＵ１１と、プログラムメモリ１７に格納されているデータ再生・記録プログラムとの協働により実行される。以下、各ステップの処理の主体は、特に言及する場合を除き、ＣＰＵ１１である。
【００７８】
まず、ピックアップ３１により出力装置３００にＣＤが装填されているか否かが検出され、カードリーダ６１により出力装置３００にメモリカードが装填されているか否かが検出される（ステップＳ２１）。
【００７９】
出力装置３００にＣＤ及びメモリカードが装填されている場合には（ステップＳ２１；ＹＥＳ）、ピックアップ３１によりＣＤ内のデータ形式がチェックされ、対象となる音ファイルが存在するか否かが判断される（ステップＳ２２）。ＣＤ内に対象となる音ファイルが認識された場合には（ステップＳ２２；音ファイル認識）、メモリカード内のデータ形式がチェックされ、対象となる画像ファイルが存在するか否かが判断される（ステップＳ２３）。
【００８０】
メモリカード内に対象となる画像ファイルが認識された場合には（ステップＳ２３；画像ファイル認識）、ＣＤから読み取られた音データと、メモリカードから読み取られた画像データと、が同時に再生される（ステップＳ２４）。
【００８１】
ここで、再生・記録モードに設定されている場合には（ステップＳ２５；ＹＥＳ）、音データ及び画像データの再生と同時に、データ記録装置９０により音データ及び画像データがＣＤ−Ｒ又はＤＶＤ−Ｒに記録される（ステップＳ２６）。再生・記録モードとは、音データ及び画像データの再生と同時に、音データ及び画像データの記録を行うよう設定されているモードをいう。
【００８２】
ステップＳ２２においてＣＤ内に対象となる音ファイルが存在しなかった場合（ステップＳ２２；ＮＯ）、又は、ステップＳ２３においてメモリカード内に対象となる画像ファイルが存在しなかった場合には（ステップＳ２３；ＮＯ）、対象ファイルがないことが操作パネル２０に表示され（ステップＳ２７）、処理が終了する。
【００８３】
出力装置３００にＣＤが装填され、かつ、メモリカードが装填されていない場合には（ステップＳ２１；ＮＯ，ステップＳ２８；ＹＥＳ）、ＣＤから読み取られた音データが再生される（ステップＳ２９）。
【００８４】
出力装置３００にＣＤが装填されておらず、かつ、メモリカードが装填されている場合には（ステップＳ２１；ＮＯ，ステップＳ２８；ＮＯ，ステップＳ３０；ＹＥＳ）、メモリカードから読み取られた画像データが再生される（ステップＳ３１）。
以上で、データ再生・記録処理が終了する。
【００８５】
第３の実施の形態における出力装置３００によれば、ＣＤが出力装置３００に装填され、かつ、メモリカードが出力装置３００に装填された場合に、ＣＤに記録された音データ及びメモリカードに記録された画像データを再生しながら、ＣＤ−Ｒ又はＤＶＤ−Ｒに記録することができる。したがって、音処理系３０と画像処理系６０に対して個別に操作を行う必要がなく、音データ及び画像データの再生及び記録を行う際の操作性を向上させることができる。
【００８６】
なお、上記各実施の形態における記述は、本発明に係る好適な出力装置の例であり、これに限定されるものではない。出力装置を構成する各部の細部構成及び細部動作に関しても本発明の趣旨を逸脱することのない範囲で適宜変更可能である。
【００８７】
また、上記各実施の形態においては、音データが記録された記録媒体としてＣＤ、画像データが記録された記録媒体としてメモリカードを例にして説明したが、その他、ＣＤ−Ｒ、ＤＶＤ−Ｒ、ＣＤ−ＲＷ、ＤＶＤ−ＲＷ、ＣＤ−ＲＡＭ、ＤＶＤ−ＲＡＭ、Blu-ray Disc、ＭＯ、ＭＤであってもよい。また、デジタルスチルカメラやカメラ付き携帯電話機がＵＳＢ（Universal Serial Bus）接続又は無線で接続されたことを検出することにより、画像データ・音データの再生や記録を行うこととしてもよい。
【００８８】
また、上記第２及び第３の実施の形態においては、音データ及び画像データを記録するための記録媒体としてＣＤ−Ｒ又はＤＶＤ−Ｒを例にして説明したが、その他、メモリカード、ＣＤ−ＲＷ、ＤＶＤ−ＲＷ、ＣＤ−ＲＡＭ、ＤＶＤ−ＲＡＭ、Blu-ray Disc、ＭＯ、ＭＤであってもよい。また、音データ及び画像データを記録・保管する装置は、ネットワークを介して接続されたサーバ装置であってもよい。
【図面の簡単な説明】
【００８９】
【図１】本発明の第１の実施の形態における出力装置１００の機能的構成を示すブロック図である。
【図２】出力装置１００の制御ブロック図である。
【図３】出力装置１００において実行されるデータ再生処理を示すフローチャートである。
【図４】同時再生処理を示すフローチャートである。
【図５】本発明の第２の実施の形態における出力装置２００の機能的構成を示すブロック図である。
【図６】出力装置２００の制御ブロック図である。
【図７】出力装置２００において実行されるデータ記録処理を示すフローチャートである。
【図８】同時記録処理を示すフローチャートである。
【図９】本発明の第３の実施の形態における出力装置３００の機能的構成を示すブロック図である。
【図１０】出力装置３００において実行されるデータ再生・記録処理を示すフローチャートである。
【符号の説明】
【００９０】
１００，２００，３００  出力装置
１０  制御部
１１  ＣＰＵ
１２，１３，１４，１９  Ｉ／Ｏポート
１５  ＲＯＭ
１６  ＲＡＭ
１７  プログラムメモリ
１８  記憶部
２０  操作パネル
３０  音処理系
３１  ピックアップ
３２  音データ処理部
３３  Ｄ／Ａ変換器
４０  アンプ
５０  スピーカー
６０  画像処理系
６１  カードリーダ
６２  画像データ処理部
７０  表示装置
８０  バス
９０  データ記録装置
【図１】
2005223590.tif 000003
【図２】
2005223590.tif 000004
【図３】
2005223590.tif 000005
【図４】
2005223590.tif 000006
【図５】
2005223590.tif 000007
【図６】
2005223590.tif 000008
【図７】
2005223590.tif 000009
【図８】
2005223590.tif 000010
【図９】
2005223590.tif 000011
【図１０】
2005223590.tif 000012